(57)【要約】  本発明は、アニオン性界面活性剤と、非イオン性界面活性剤と、０．５重量％〜２５重量％の水と、組成物の０．０５重量％〜２重量％のトリメチルアンモニウム置換エポキシドにより誘導体化されているヒドロキシエチルセルロースポリマーであるカチオン性ポリマーと、を含む液体洗濯洗剤組成物に関し、アニオン性界面活性剤は、脂肪酸又は脂肪酸塩を含み、及び、式中、  カチオン性ポリマーのアニオン性界面活性剤に対する重量比が１：５より低く、  カチオン性ポリマーの非イオン性界面活性剤に対する重量比が１：１０より高く、  カチオン性ポリマーの界面活性剤の総量に対する重量比が１：５より低く、  アニオン性界面活性剤の非イオン性界面活性剤の重量比が５：１〜２３：１であり  「界面活性剤の総量」は前記液体洗濯洗剤組成物中に存在する、全てのアニオン性、非イオン性、カチオン性界面活性剤を含むが、これらに限定されない全ての界面活性剤の量を意味する。【特許請求の範囲】
【請求項１】
アニオン性界面活性剤と、
非イオン性界面活性剤と、
０．５重量％〜２５重量％の水と、
組成物の０．０５重量％〜２重量％のトリメチルアンモニウム置換エポキシドにより誘導体化されているヒドロキシエチルセルロースポリマーであるカチオン性ポリマーと、
を含む液体洗濯洗剤組成物であって、
前記アニオン性界面活性剤は脂肪酸を含み、及び
式中、
−前記カチオン性ポリマーの前記アニオン性界面活性剤に対する重量比が１：５より低く、
−前記カチオン性ポリマーの前記非イオン性界面活性剤に対する重量比が１：１０より高く、
−前記カチオン性ポリマーの前記界面活性剤の総量に対する重量比が１：５より低く、
−前記アニオン性界面活性剤の前記非イオン性界面活性剤の重量比が５：１〜２３：１であり、
「界面活性剤の総量」は前記液体洗濯洗剤組成物中に存在する、全てのアニオン性、非イオン性、カチオン性界面活性剤を含むが、これらに限定されない全ての界面活性剤の量を意味する、液体洗濯洗剤組成物。
【請求項２】
前記アニオン性界面活性剤と非イオン性界面活性剤の重量比が５：１〜２０：１、又は５：１〜１８：１、又は５：１〜１５：１である、請求項１に記載の組成物。
【請求項３】
前記非イオン性界面活性剤は、式Ｒ（ＥＯ）ｎで示す脂肪アルコールエトキシレートを含み、ここでＲは４〜３０個の炭素原子のアルキル鎖を示し、（ＥＯ）はエチレンオキシドモノマーの１単位を示し、ｎは０．５〜２０の平均値を有する、請求項１又は２に記載の組成物。
【請求項４】
前記カチオン性ポリマーの分子量が１００，０００〜８００，０００ダルトンである、請求項１〜３のいずれか一項に記載の組成物。
【請求項５】
前記アニオン性界面活性剤は、直鎖アルキルベンゼンスルホン酸塩を含む、請求項１〜４のいずれか一項に記載の組成物。
【請求項６】
前記カチオン性ポリマーは、前記組成物の０．１重量％〜１重量％、又は０．２重量％〜０．６重量％のレベルで存在する、請求項１〜５のいずれか一項に記載の組成物。
【請求項７】
前記組成物が香料、封入香料、又はこれらの混合物を含む、請求項１〜６のいずれか一項に記載の組成物。
【請求項８】
補助洗濯洗剤成分を含み、前記補助洗濯洗剤成分は、漂白剤、漂白触媒、染料、ぼかし剤、洗浄ポリマー、アルコキシ化ポリアミン、ポリエチレンイミン、アルコキシ化ポリエチレンイミン、汚れ放出ポリマー、両親媒性グラフトポリマー、界面活性剤、溶媒、移染阻害剤、キレート剤、酵素、香料、封入香料、香料提供剤、泡抑制剤、光沢剤、ポリカルボン酸塩、構造剤、酸化防止剤、定着補助剤、シリコーン、クレイ、ショ糖エステル、及びこれらの混合物から選択される、請求項１〜７のいずれか一項に記載の組成物。
【請求項９】
水溶性フィルムと、請求項１〜８のいずれかに記載の組成物とを含む、水溶性単位用量物品。
【請求項１０】
少なくとも２つ、又は少なくとも３つの区画を含む、請求項９に記載の水溶性単位用量物品。
【請求項１１】
前記区画は、重ねられた向き又は左右に並べられた向きに配置されている、請求項１０に記載の水溶性単位用量物品。
【発明の詳細な説明】
【技術分野】
【０００１】
洗濯洗剤組成物は、ヒドロキシエチルセルロースポリマーを含む。
【背景技術】
【０００２】
ヒドロキシエチルセルロースポリマーを含むカチオン性ポリマーは、洗濯洗剤組成物において布地を柔らかくするのに有用であることが知られている。しかし、カチオン性セルロースポリマーと、洗濯洗剤組成物中に存在するアニオン性洗浄界面活性剤との相互作用により、この布地を柔らかくする効果が薄れることがよくある。洗浄界面活性剤を増量することにより洗浄効果が改善するが、これは布地を柔らかくする効果を弱める作用がある。
【発明の概要】
【発明が解決しようとする課題】
【０００３】
当該技術分野において公知のカチオン性セルロースポリマーを含む洗濯洗剤組成物を使いながら、洗濯時の布地を柔らかくする効果を改善しつつ、布地を洗浄する効果を維持した洗濯洗剤組成物を提供するニーズが当該技術分野において存在している。
【０００４】
驚くべきことに、本発明者らは、洗剤組成物中のカチオン性ポリマー、アニオン性界面活性剤、及び非イオン性界面活性剤の比率を注意深く制御することにより、上述の技術的課題を解決できることを見出した。
【課題を解決するための手段】
【０００５】
本発明は、アニオン性界面活性剤と、非イオン性界面活性剤と、０．５重量％〜２５重量％の水と、組成物の０．０５重量％〜２重量％のトリメチルアンモニウム置換エポキシドにより誘導体化されているヒドロキシエチルセルロースポリマーであるカチオン性ポリマーと、を含む液体洗濯洗剤組成物に関し、
前記アニオン性界面活性剤は脂肪酸を含み、及び
式中、
−前記カチオン性ポリマーの前記アニオン性界面活性剤に対する重量比が１：５より低く、
−前記カチオン性ポリマーの前記非イオン性界面活性剤に対する重量比が１：１０より高く、
−前記カチオン性ポリマーの前記界面活性剤の総量に対する重量比が１：５より低く、
−前記アニオン性界面活性剤の前記非イオン性界面活性剤の重量比が５：１〜２３：１であり、
「界面活性剤の総量」は前記液体洗濯洗剤組成物中に存在する、全てのアニオン性、非イオン性、カチオン性界面活性剤を含むが、これらに限定されない全ての界面活性剤の量を意味する。
【発明を実施するための形態】
【０００６】
液体洗濯洗剤組成物
本発明の組成物は、液体洗濯洗剤組成物である。「液体洗濯洗剤組成物」という語は、布地を湿らせ処理することができる、例えば家庭用洗濯機で衣類を洗浄できる、液体を含むあらゆる洗濯洗剤組成物を指し、その例としては、限定するものではないが、液体、ジェル、ペースト、分散体等が挙げられる。液体組成物は、固体又は気体を適宜分割された形態で含み得るものであるが、液体組成物としては、錠剤又は顆粒等の、全体として非流動性の製品形態は除外する。
【０００７】
液体組成物は、単位用量物品に調整されていてもよい。本発明の単位用量物品は、少なくとも１つの区画に液体組成物を完全に封入する水溶性フィルムを含む。好適な単位用量物品については、以下により詳細に記載する。
【０００８】
液体洗濯洗剤組成物は、完全に調整された消費者用商品としても使用されてもよく、又は１つ以上の別の洗剤に添加されることで、完全に調整された消費者用商品を形成するものとしてもよい。液体洗濯洗剤組成物は、洗浄溶液に浸される前の布地、好ましくは布地の汚れ部分に添加されるような「前処理」組成物であってもよい。
【０００９】
液体洗濯洗剤組成物は、布地の手洗いに使用されてもよいし、機械による自動布地洗い動作に使用されてもよい。
【００１０】
液体洗濯洗剤組成物は、アニオン性界面活性剤を含むことができる。好適なアニオン性界面活性剤については、以下により詳細に記載する。
【００１１】
液体洗濯洗剤組成物は、非イオン性界面活性剤を含むことができる。好適な非イオン界面活性剤については、以下により詳細に記載する。
【００１２】
液体洗濯洗剤組成物は、ヒドロキシエチルセルロースポリマーであるカチオン性ポリマーを含む。このポリマーは、以下により詳細に記載する。
【００１３】
液体洗濯洗剤組成物中のカチオン性ポリマーのアニオン性界面活性剤に対する重量比は１：５よりも低い。
【００１４】
液体洗濯洗剤組成物中のカチオン性ポリマーの非イオン性界面活性剤に対する重量比は１：１０よりも高い。
【００１５】
液体洗濯洗剤組成物中のカチオン性ポリマーの界面活性剤の総量に対する重量比は１：５よりも低い。本明細書において、「界面活性剤の総量」は前記液体洗濯洗剤組成物中に存在する、全てのアニオン性、非イオン性、カチオン性界面活性剤を含むが、これらに限定されない全ての界面活性剤の量を意味する。
【００１６】
液体洗濯洗剤組成物中のアニオン性界面活性剤の非イオン性界面活性剤に対する重量比は５：１〜２３：１、又は５：１〜２０：１、又は更に５：１〜１５：１である。
【００１７】
アニオン性界面活性剤の非イオン性界面活性剤の重量比は５：１〜２０：１、又は５：１〜１８：１、又は更に５：１〜１５：１であってもよい。
【００１８】
本明細書において、「重量比」は、組成物中に存在する第１の成分の重量の、当該組成物中に存在する第２の成分の重量に対する比率を意味する。
【００１９】
当該組成物は、香料、封入香料、又はそれらの混合物を含んでもよい。これは限定的に解されるべきではないが、驚くべきことに、本発明の組成物は、布地に対する香料又は封入香料の定着を改善させる追加の効果があることが見出された。
【００２０】
当該組成物は、６から１２、好ましくは７から９のｐＨを有してもよい。
【００２１】
本発明の目的は、当該技術分野において公知のカチオン性セルロースポリマーを含む洗濯洗剤組成物を使いながら、洗濯時の布地を柔らかくする効果を改善しつつ、布地を洗浄する効果を維持した洗濯洗剤組成物を提供することである。本発明の他の目的は、当該技術分野において公知のカチオン性セルロースポリマーを含む洗濯洗剤組成物を使いながら、洗濯時の布地を柔らかくする効果を改善しつつ、更に布地を洗浄する効果を改善した洗濯洗剤組成物を提供することである。
【００２２】
水溶性単位用量物品
本発明は、また、水溶性フィルム及び本発明に係る液体洗濯洗剤組成物を含む水溶性単位用量物品に関する。
【００２３】
本発明の単位用量物品は、少なくとも１つの区画に液体組成物を完全に封入する水溶性フィルムを含む。
【００２４】
本明細書の単位用量物品は、典型的には、閉鎖構造であり、液体洗濯洗剤組成物を含む内容量を封入している水溶性フィルム製である。単位用量物品は、例えば、パウチが水に接触する前にパウチから組成物を放出することなく、組成物を保持し、保護するために好適な、任意の形態及び形状であってよい。正確な実施は、例えば、パウチ内の組成物の種類及び量、パウチ内の区画の数、組成物を保持、保護、並びに放出するために水溶性フィルムに必要とされる特性などの要因に依存する。単位容量物品は、略正方形、長方形、楕円形、台形、長楕円形、又は円形であってもよい。当該形状には、２つ以上のフィルムが互いに密閉される部位にフランジやスカートが設けられてもよい。略というのは、形状が全体として例えば正方形である印象を与えることを意味する。丸角であったり、辺が直線状でなかったりしてもよいが、全体として例えば正方形である印象を与えるということである。
【００２５】
液体組成物には、任意の固形の添加物は除外されるが、存在する場合、任意の泡は含まれ、好ましくは１立方センチメートルあたり０．９グラム〜１．３グラム、より好ましくは１立方センチメートルあたり１．００グラム〜１．１グラムの範囲の密度を有する。
【００２６】
単位用量パウチは、少なくとも１つの区画に液体組成物を完全に封入する水溶性フィルムを含む。単位用量物品は、追加の区画を任意に含んでもよく、この追加の区画は追加の組成物を含んでもよい。係る追加の組成物は、流体、固体、又はそれらの混合物であってよい。或いは、任意の追加の固体成分を流体入り区画に懸濁させてもよい。各区画は、同一の又は異なる組成物を含んでもよい。化学的に適合しない成分を分けたり、成分が一部先行して又は後に洗剤に放出されることが望ましい場合に、単位容量物品が複数区画を有することが好ましい。単位用量物品は、少なくとも１つ、又は少なくとも２つ、又は少なくとも３つ、又は少なくとも４つ、又は少なくとも５つの区画を有してもよい。単位用量物品は、２つの区画を含んでもよく、ここで第１区画は区画の５重量％〜２０重量％のキレート剤を有し、好ましくはキレート剤は固体状である。
【００２７】
複数の区画を任意の好適な向きで配置することができる。例えば、単容量物品は、底区画と、当該底区画に重ねられた少なくとも第１上区画を有してもよい。単容量物品は、底区画と、当該底区画に重ねられ、左右に並べられた少なくとも第１及び第２上区画を有してもよい。好ましくは、単容量物品は、底区画と、当該底区画に重ねられ、左右に並べられたた少なくとも第１、第２、第３上区画を有してもよい。
【００２８】
或いは、それら区画が全て左右に並べられた構成であってもよい。当該構成の場合、区画同士が接続され、共通の区画壁を有してもよいし、略分離され、コネクタ又は架橋により単純につなぎ合わされてもよい。組成物は、「タイヤとリム」のように並べられてもよい。すなわち、第１区画が少なくとも部分的に第２区画を取り囲んだ状態で第２区画に隣接して設けられる。この際、第２区画は全体的に囲繞されてはいない。
【００２９】
本発明の単位用量物品は、水に可溶性であるか、又は分散性であり、２０マイクロメートルの最大孔径を有するガラスフィルターを用いた後に本明細書で示される方法によって測定する場合に、好ましくは少なくとも５０％、好ましくは少なくとも７５％、又は更に少なくとも９５％の水溶性を有する：
予め秤量した４００ｍＬビーカーに、５０グラム±０．１グラムのフィルム材料を入れ、２４５ｍＬ±１ｍＬの蒸留水を添加する。これを、６００ｒｐｍに設定した磁気撹拌機上で３０分間激しく撹拌する。その後、混合物を、上記で定義した孔径（最大２０マイクロメートル）の折り畳んだ定性分析用焼結ガラス濾紙で濾過する。回収した濾液から任意の従来の方法によって水を乾燥させ、残った材料の重量を測定する（これが溶解又は分散画分である）。その後、溶解度（％）又は分散度（％）を計算することができる。
【００３０】
好ましいフィルム材料は、好ましくはポリマー材料である。フィルム材料は、例えば、当分野において公知の、ポリマー材料のキャスティング、吹込み成形、押出成形又は吹込押出成形により得ることができる。
【００３１】
パウチ材料としての使用に好適な好ましいポリマー、コポリマー又はそれらの誘導体は、ポリビニルアルコール、ポリビニルピロリドン、ポリアルキレンオキシド、アクリルアミド、アクリル酸、セルロース、セルロースエーテル、セルロースエステル、セルロースアミド、ポリ酢酸ビニル、ポリカルボン酸及び塩、ポリアミノ酸又はペプチド、ポリアミド、ポリアクリルアミド、マレイン酸／アクリル酸のコポリマー、デンプン及びゼラチンを包むポリサッカライド、キサンタン及びカラガムなどの天然ガムから選択される。より好ましいポリマーは、ポリアクリレート及び水溶性アクリレートコポリマー、メチルセルロース、カルボキシメチルセルロースナトリウム、デキストリン、エチルセルロース、ヒドロキシエチルセルロース、ヒドロキシプロピルメチルセルロース、マルトデキストリン、ポリメタクリレートから選択され、最も好ましくは、ポリビニルアルコール、ポリビニルアルコールコポリマー及びヒドロキシプロピルメチルセルロース（ＨＰＭＣ）、並びにこれらの組み合わせから選択される。好ましくは、パウチ材料中のポリマー、例えばＰＶＡポリマーのレベルは、少なくとも６０％である。ポリマーは、任意の重量平均分子量、好ましくは、約１０００〜１，０００，０００、より好ましくは、約１０，０００〜３００，０００、更により好ましくは、約２０，０００〜１５０，０００を有することができる。
【００３２】
ポリマー混合物もまた、フィルム材料として使用することができる。これは、区画又はパウチの機械的特性及び／又は溶解特性を、これらの適用及び必要とされるニーズに応じて、制御するのに有用であり得る。好適な混合物には、例えば１つのポリマーが他のポリマーよりもより高い水溶性を有する、及び／又は１つのポリマーが他のポリマーよりもより高い機械的強度を有する、混合物が含まれる。異なる重量平均分子量を有するポリマーの混合物、例えば、重量平均分子量が約１０，０００〜４０，０００、好ましくは２０，０００前後のＰＶＡ又はそのコポリマーと、重量平均分子量が約１００，０００〜３００，０００、好ましくは１５０，０００前後のＰＶＡ又はそのコポリマーとの混合物も、好適である。ポリマーブレンド組成物、例えば、加水分解で分解可能で水溶性のポリマーブレンド（ポリラクチド及びポリビニルアルコールを混合することにより得られ、典型的に約１〜３５重量％のポリラクチド、及び約６５〜９９重量％のポリビニルアルコールを含む、ポリラクチドとポリビニルアルコールのポリマーブレンドなど）を含むポリマーブレンド組成物も、本明細書において好適である。本明細書での使用に好ましいポリマーは、材料の溶解特性を改善するために約６０％〜約９８％加水分解された、好ましくは約８０％〜約９０％加水分解されたポリマーである。
【００３３】
好ましいフィルムは冷水中、すなわち水道からの温められていない水に対して良好に溶解する。好ましくは、当該フィルムは２５℃未満、より好ましくは２１℃未満、更に好ましくは１５℃未満で良好に溶解する。良好に溶解するということは、上述のように、２０マイクロメートルの最大孔径を有するガラスフィルターを用いた後に本明細書で示される方法によって測定する場合に、フィルムは少なくとも５０％、好ましくは少なくとも７５％、更に少なくとも９５％の水溶性を示すことを意味する。
【００３４】
好ましいフィルムとしては、Ｍｏｎｏｓｏｌ社が販売する商品名Ｍ８６３０、Ｍ８９００、Ｍ８７７９、Ｍ８３１０フィルム、ＵＳ  ６，１６６，１１７号及びＵＳ  ６，７８７，５１２号に記載されたフィルム、対応する可溶性及び変形性を有するＰＶＡフィルムが挙げられる。更に好ましいフィルムが、ＵＳ  ２００６／０２１３８０１、ＷＯ  ２０１０／１１９０２２、ＵＳ  ２０１１／０１８８７８４、及びＵＳ  ６，７８７，５１２号に記載される。
【００３５】
好ましい水溶性フィルムは、１以上のＰＶＡポリマーを含む樹脂であり、好ましくは、当該水溶性フィルム樹脂は、ＰＶＡポリマーブレンドを含んでいる。例えば、ＰＶＡ樹脂は、少なくとも２つのＰＶＡポリマーを含むことができ、本明細書で使用するとき、第１のＰＶＡポリマーは第２のＰＶＡポリマーより小さい粘度を有する。第１のＰＶＡポリマーは、少なくとも８ｃＰ（ｃＰはセンチポアズを意味する）、１０ｃＰ、１２ｃＰ、又は１３ｃＰ、多くとも４０ｃＰ、２０ｃＰ、１５ｃＰ、又は１３ｃＰ、例えば、約８ｃＰ〜約４０ｃＰ、又は１０ｃＰ〜約２０ｃＰ、又は約１０ｃＰ〜約１５ｃＰ、又は約１２ｃＰ〜約１４ｃＰの範囲、又は１３ｃＰの粘度を有していてもよい。更に、第２のＰＶＡポリマーは、少なくとも約１０ｃＰ、２０ｃＰ、又は２２ｃＰ、多くとも約４０ｃＰ、３０ｃＰ、２５ｃＰ、又は２４ｃＰ、例えば、約１０ｃＰ〜約４０ｃＰ、又は２０〜約３０ｃＰ、又は約２０〜約２５ｃＰ、又は約２２〜約２４ｃＰの範囲、又は約２３ｃＰの粘度を有していてもよい。ＰＶＡポリマーの粘度は、Ｂｒｉｔｉｓｈ  Ｓｔａｎｄａｒｄ  ＥＮ  ＩＳＯ  １５０２３−２：２００６  Ａｎｎｅｘ  Ｅ  Ｂｒｏｏｋｆｉｅｌｄ  Ｔｅｓｔ  ｍｅｔｈｏｄに記載されるように、ＵＬアダプタを備えたＢｒｏｏｋｆｉｅｌｄ  ＬＶ型粘度計を使用して、新たに作製した溶液を測定することにより決定される。４％水性ポリビニルアルコール溶液の２０℃における粘度を指定することが国際的な慣行である。本明細書においてｃＰで明記されている全ての粘度は、特に指定のない限り、２０℃における４％のポリビニルアルコール水溶液の粘度を指すと理解すべきである。同様に、樹脂が特定の粘度を有する（又は有しない）と記載されるとき、特に言及しない限り、指定された粘度は、対応する分子量分布を固有に有する、樹脂の平均粘度であることを意味する。
【００３６】
ＰＶＡ樹脂の加水分解度が本明細書に記載の範囲内にある限り、個々のＰＶＡポリマーは、任意の好適な加水分解度を有し得る。任意要素として、上記に加えて又は上記に代えて、樹脂は、約５０，０００〜約３００，０００ダルトン、又は約６０，０００〜約１５０，０００ダルトンの範囲内のＭｗを有する第１のＰＶＡポリマーと、約６０，０００〜約３００，０００ダルトン、又は約８０，０００〜約２５０，０００ダルトンの範囲内のＭｗを有する第２のＰＶＡポリマーを含むことができる。
【００３７】
ＰＶＡ樹脂は、約１０〜約４０ｃＰの範囲の粘度及び約８４％〜約９２％の範囲の加水分解度を有する、１つ以上の追加のＰＶＡポリマーを更に含むことができる。
【００３８】
ＰＶＡ樹脂が、約１１ｃＰよりも低い平均粘度と約１．８〜約２．３の範囲内の多分散指数とを有する第１のＰＶＡポリマーを含む場合には、ある種の実施形態では、ＰＶＡ樹脂は、約３０重量％未満の第１のＰＶＡポリマーを含有する。同様に、ＰＶＡ樹脂が、約１１ｃＰ未満の平均粘度と、約１．８〜約２．３の範囲内の多分散指数と、を有する第１のＰＶＡポリマーを含む場合には、別の非限定的な種類の実施形態では、ＰＶＡ樹脂は、約７０，０００ダルトン未満のＭｗを有するＰＶＡポリマーを約３０重量％未満含有する。
【００３９】
本明細書に記載されたフィルムの総ＰＶＡ樹脂含有量の内、ＰＶＡ樹脂は、約３０重量％から約８５重量％の第１のＰＶＡポリマー、又は約４５重量％から約５５重量％の第１のＰＶＡポリマーを含むことができる。例えば、ＰＶＡ樹脂は、各ＰＶＡポリマーを約５０重量％含むことができ、第１のＰＶＡポリマーの粘度は約１３ｃＰであり、第２のＰＶＡポリマーの粘度は約２３ｃＰである。
【００４０】
ある種の実施形態は、約１０〜約１５ｃＰの範囲の粘度及び約８４％〜約９２％の範囲の加水分解度を有する第１のＰＶＡポリマーを約４０〜約８５重量％含むＰＶＡ樹脂によって特徴付けられる。別の種類の実施形態は、約１０〜約１５ｃＰの範囲の粘度及び約８４％〜約９２％の範囲の加水分解度を有する第１のＰＶＡポリマーを約４５〜約５５重量％含むＰＶＡ樹脂によって特徴付けられる。ＰＶＡ樹脂は、約２０〜約２５ｃＰの範囲の粘度及び約８４％〜約９２％の範囲の加水分解度を有する第２のＰＶＡポリマーを約１５〜約６０重量％含むことができる。意図されるある種の実施形態は、第２のＰＶＡポリマーを約４５〜約５５重量％含むＰＶＡ樹脂によって特徴付けられる。
【００４１】
ＰＶＡ樹脂が複数のＰＶＡポリマーを含む場合、ＰＶＡ樹脂のＰＤＩ値は、あらゆる個々の含まれたＰＶＡポリマーのＰＤＩ値よりも大きい。所望により、ＰＶＡ樹脂のＰＤＩ値は、２．２、２．３、２．４、２．５、２．６、２．７、２．８、２．９、３．０、３．１、３．２、３．３、３．４、３．５、３．６、３．７、３．８、３．９、４．０、４．５、又は５．０より大きい。
【００４２】
本明細書のフィルム材料は、１種又は複数の添加剤成分を含むことができる。例えば、可塑剤、例えば、グリセロール、エチレングリコール、ジエチレングリコール、プロピレングリコール、ソルビトール、及びそれらの混合物を添加するのが有益となり得る。他の添加剤としては、水及び洗浄水に送達される水を含む機能性洗剤添加剤、例えば有機ポリマー分散剤などが挙げられる。
【００４３】
フィルムは、不透明であっても、透明であっても、半透明であってもよい。フィルムは、印刷領域を含んでもよい。印刷領域は、当該フィルムの表面の１０％〜８０％を占めてもよく、又は区画の内部空間に接するフィルムの表面の１０％〜８０％を占めてもよく、又はフィルムの表面の１０％〜８０％且つ区画の表面の１０％〜８０％を占めてもよい。
【００４４】
印刷領域は、フィルムの連続した一部を占めてもよく、又はいくつかの部分を占めてもよく、即ち、より狭い印刷領域であって、その合計が区画の内部空間に接するフィルムの表現の１０％〜８０％を占めてもよく、又はその両方であってもよい。
【００４５】
印刷領域は、インク、色素、染料、青味剤、又はこれらの混合物を含有してもよい。印刷領域は、不透明であっても、半透明であっても、透明であってもよい。
【００４６】
印刷領域は、単一の色を有しても、３色ものような複数の色を有してもよい。印刷領域は、白、黒、青、赤、又はこれらの混合の色を有してもよい。印刷は、フィルムの表面上の層に存在してもよいし、フィルムに少なくとも部分的に沁み込んでいてもよい。フィルムは、第１の側面と第２の側面とを備える。印刷領域は、フィルムのどちらか一方の側に存在していてもよいし、フィルムの両側に存在してもよい。或いは、印刷領域は少なくとも部分的にフィルム自体の内部に構成されてもよい。
【００４７】
印刷領域はインクを含有してもよく、当該インクは色素を含有する。フィルム上への印刷用のインクは、所望の水中分散度を有することが好ましい。インクは、白、赤、黒を含むいずれの色であってもよい。インクは、重量当たり１０％〜８０％、又は２０％〜６０％、又は２５％〜４５％の水を含有する水性インクであってもよい。インクは、重量当たり２０％〜９０％、又は４０％〜８０％、又は５０％〜７５％の固体を含有してもよい。
【００４８】
インクは、せん断速度１０００ｓ−１且つ２０℃で測定された粘度が、１〜６００ｃＰｓ、又は５０〜３５０ｃＰｓ、又は１００〜３００ｃＰｓ、又は１５０〜２５０ｃＰｓであってもよい。この測定は、ＴＡ計器ＡＲ−５５０レオメータによるコーンプレート形状により得られる。
【００４９】
印刷領域は、フレキソ印刷やインクジェット印刷のような標準的な技術により実現してもよい。好ましくは、印刷領域は、フィルムが印刷され、その後、開いた区画の形状に成形される、フレキソ印刷によって実現する。その後、区画に潜在組成物が充填され、第２フィルムが区画上に配置され、第１フィルムに密閉される。印刷領域は、フィルムのどちらか一方、又は両側にあってもよい。
【００５０】
或いは、フィルムの全体又は少なくとも一部が着色されるように、インク又は色素をフィルムの製造中に添加してもよい。
【００５１】
フィルムは、苦味剤等の嫌悪剤を含有してもよい。好適な苦味剤の例としては、限定するものではないが、ナリンジン、オクタアセチルスクロース、塩酸キニーネ、安息香酸デナトニウム、又はこれらの混合物が挙げられる。フィルム中に、任意の好適な割合の嫌悪剤が使用されてもよい。好適な割合の例としては、限定するものではないが、１〜５０００ｐｐｍ、又は１００〜２５００ｐｐｍ、更に２５０〜２０００ｐｐｍが挙げられる。
【００５２】
アニオン性界面活性剤
アニオン性界面活性剤は、線状アルキルベンゼンスルホネート、アルキルエトキシレート硫酸塩、及びこれらの組み合わせから選択され得る。
【００５３】
本明細書で有用である好適なアニオン性界面活性剤は、液体洗剤製品で典型的に使用される従来のアニオン性界面活性剤のいかなる種類をも含むことができる。これらには、アルキルベンゼンスルホン酸及びこれらの塩、並びにアルコキシル化又は非アルコキシル化アルキルサルフェート物質が挙げられる。
【００５４】
代表的なアニオン性界面活性剤は、Ｃ１０〜Ｃ１６のアルキルベンゼンスルホン酸、又はＣ１１〜Ｃ１４のアルキルベンゼンスルホン酸のアルカリ金属塩である。一態様では、アルキル基は直鎖であり、そのような線状アルキルベンゼンスルホネートは「ＬＡＳ」として知られている。アルキルベンゼンスルホネート（特にＬＡＳ）は、当該技術分野においてよく知られている。このような界面活性剤及びその作製の説明が、例えば、米国特許第第２，２２０，０９９号及び第２，４７７，３８３号になされている。特に有用なのは、ナトリウム、カリウム、及びアミン線状直鎖アルキルベンゼンスルホネート（アルキル基内の平均炭素原子数が約１１〜１４）である。ナトリウムＣ１１〜Ｃ１４、例えば、Ｃ１２、ＬＡＳは、このような界面活性剤の具体例である。
【００５５】
具体的には、本明細書で有用なアニオン性界面活性剤の非限定例としては、以下の酸又は塩形態を含むものである：ａ）Ｃ１１〜Ｃ１８アルキルベンゼンスルホネート（ＬＡＳ）；ｂ）Ｃ１０〜Ｃ２０第一級分枝鎖及びランダムアルキルサルフェート（ＡＳ）であって、大部分がＣ１２サルフェートを含み；ｃ）Ｃ１０〜Ｃ１８第２級（２，３）アルキル硫酸塩であって、好適なカチオンの非限定的な例としては、ナトリウム、カリウム、アンモニウム、アミン、及びこれらの混合物が挙げられ；ｄ）Ｃ１０〜Ｃ１８アルキルアルコキシサルフェート（ＡＥｘＳ）（式中ｘは１〜３０である）；ｅ）一形態では１〜５個のエトキシ単位を含む、Ｃ１０〜Ｃ１８アルキルアルコキシカルボキシレート；ｆ）米国特許第６，０２０，３０３号及び米国特許第６，０６０，４４３号で議論されるような中鎖分枝状アルキルサルフェート；ｇ）米国特許第６，００８，１８１号及び米国特許第６，０２０，３０３号で議論されるような中鎖分枝状アルキルアルコキシサルフェート；ｈ）国際公開番号第９９／０５２４３号、同第９９／０５２４２号、同第９９／０５２４４号、同第９９／０５０８２号、同第９９／０５０８４号、同第９９／０５２４１号、同第９９／０７６５６号、同第００／２３５４９号、及び同第００／２３５４８号で議論されるような修飾アルキルベンゼンスルホネート（ＭＬＡＳ）；ｉ）メチルエステルスルホネート（ＭＥＳ）；及び、ｊ）α−オレフィンスルホネート（ＡＯＳ）、が挙げられる。
【００５６】
好適なアニオン性洗浄界面活性剤は、大部分がアルキルＣ１６アルキル中鎖分岐型のサルフェートである。大部分がアルキルＣ１６アルキル中鎖分岐型のサルフェートに好適な原料（feedstock）はＢｉｏＦｅｎｅ（商標）（Ａｍｙｒｉｓ（Ｅｍｅｒｙｖｉｌｌｅ，Ｃａｌｉｆｏｒｎｉａ）により供給）などのβ−ファルネセンである。
【００５７】
アニオン性界面活性剤は、脂肪酸又は脂肪酸塩を含む。脂肪酸は、好ましくは飽和又は不飽和である、長い非分岐脂肪族末端を有することが多いカルボン酸である。好適な脂肪酸としてエトキシ化脂肪酸が挙げられる。本発明に好適な脂肪酸又は脂肪酸の塩は、好ましくはナトリウム塩、好ましくはＣ１２〜Ｃ１８飽和及び／又は不飽和脂肪酸、より好ましくはＣ１２〜Ｃ１４飽和及び／又は不飽和脂肪酸、並びにアルカリ若しくはアルカリ土類金属の炭酸塩、好ましくは炭酸ナトリウムである。
【００５８】
好ましくは、脂肪酸は、ラウリン酸、ミリスチン酸、パルミチン酸、ステアリン酸、先端（topped）パーム核脂肪酸、ヤシ脂肪酸、及びこれらの混合物からなる群から選択される。
【００５９】
非イオン性界面活性剤
本明細書で有用である好適な非イオン性界面活性剤は、液体洗剤製品で典型的に使用される従来の非イオン性界面活性剤のいかなる種類をも含むことができる。これらの界面活性剤としては、アルコキシル化脂肪族第一級アルコール系又は二級アルコール系界面活性剤並びにアミンオキシド界面活性剤が挙げられる。一態様では、本明細書の液体洗剤製品に使用されるものは、通常は液体である非イオン性界面活性剤である。
【００６０】
本明細書に用いるのに好適な非イオン性界面活性剤としては、アルコールアルコキシレート非イオン性界面活性剤が挙げられる。アルコールアルコキシレートは、一般式：Ｒ１（ＣｍＨ２ｍＯ）ｎＯＨ（式中、Ｒ１はＣ８〜Ｃ１６アルキル基であり、ｍは２〜４であり、ｎは約２〜１２の範囲である）に相当する材料である。一態様では、Ｒ１は、一級又は二級であってよく、約９〜１５個の炭素原子、又は約１０〜１４個の炭素原子を含むアルキル基である。一態様では、アルコキシル化脂肪族アルコールはまた、分子当り約２〜１２個のエチレンオキシド部分、又は分子当り約３〜１０個のエチレンオキシド部分を含有するエトキシル化物質である。
【００６１】
本明細書の液体洗剤組成物において有用なアルコキシル化脂肪族アルコール物質はしばしば、約３〜１７、約６〜１５、又は約８〜１５の範囲の親水性親油性バランス（ＨＬＢ）を有する。アルコキシル化脂肪族アルコール非イオン性界面活性剤は、商品名Ｎｅｏｄｏｌ及びＤｏｂａｎｏｌで、Ｓｈｅｌｌ  Ｃｈｅｍｉｃａｌ  Ｃｏｍｐａｎｙから販売されている。
【００６２】
好適な非イオン性界面活性剤としては、エトキシ化非イオン性界面活性剤が挙げられ、これには第一級及び二級アルコールエトキシレート、特にアルコール１モル当たり平均１〜５０又は更には２０モルのエチレンオキシドでエトキシル化されたＣ８〜Ｃ２０脂肪族アルコール、より特にアルコール１モル当たり平均１〜１０モルのエチレンオキシドでエトキシル化されたＣ１０〜Ｃ１５第一級及び二級脂肪族アルコールが挙げられる。非エトキシル化アルコール非イオン性界面活性剤としては、アルキルポリグリコシド、グリセロールモノエーテル、及びポリヒドロキシアミド（グルカミド）、ヤシ油脂肪酸グリセレス、又はそれらの混合物が挙げられる。
【００６３】
エトキシ化アルコール非イオン性界面活性剤は、例えば、エチレンオキシド（３〜８ｍｏｌ）の９〜１５個の炭素原子を有する第一級アルコール（１ｍｏｌ）との縮合物であり得る。
【００６４】
非イオン性界面活性剤は、式Ｒ（ＥＯ）ｎで示す脂肪アルコールエトキシレートを含んでもよく、ここでＲは４〜３０個の炭素原子のアルキル鎖を示し、（ＥＯ）はエチレンオキシドモノマーの１単位を示し、ｎは０．５〜２０の平均値を有する。
【００６５】
本明細書において有用な非イオン性界面活性剤の他の好適な種類には、アミンオキシド界面活性剤類が含まれる。アミンオキシドは、当該技術分野では多くの場合に「半極性」非イオン性物質と呼ばれる物質である。アミンオキシドは、式：Ｒ（ＥＯ）ｘ（ＰＯ）ｙ（ＢＯ）ｚＮ（Ｏ）（ＣＨ２Ｒ’）２．ｑＨ２Ｏを有する。この式において、Ｒは、飽和又は不飽和、直鎖又は分岐鎖であり得る比較的長鎖のヒドロカルビル部分であり、８個〜２０個、又は１０個〜１６個の炭素原子を含有してよく、又はＣ１２〜Ｃ１６第一級アルキルである。Ｒ’は短鎖部分であり、一態様では、Ｒ’は水素、メチル及び−ＣＨ２ＯＨから選択してよい。ｘ＋ｙ＋ｚが０とは異なる場合、ＥＯは、エチレンオキシ、ＰＯは、プロピレンオキシ（propyleneneoxy）、ＢＯは、ブチレンオキシである。アミンオキシド界面活性剤は、Ｃ１２〜１４アルキルジメチルアミンオキシドによって例示される。
【００６６】
非イオン性洗浄界面活性剤の非限定的な例としては、ａ）Ｃ１２〜Ｃ１８アルキルエトキシレート（ＮＥＯＤＯＬ（登録商標）非イオン性界面活性剤類（Shell）など）；ｂ）Ｃ６Ｃ１２アルキルフェノールアルコキシレート（ここで、アルコキシレート単位はエチレンオキシ単位とプロピレンオキシ単位の混合物である）；ｃ）Ｃ１２〜Ｃ１８アルコール及びエチレンオキシド／プロピレンオキシドブロックコポリマーとのＣ６〜Ｃ１２アルキルフェノール縮合物（例えばＢＡＳＦから販売されるＰｌｕｒｏｎｉｃ（登録商標））；ｄ）米国特許第６，１５０，３２２号において議論されるようなＣ１４〜Ｃ２２中鎖分枝状アルコール（ＢＡ）；ｅ）米国特許第６，１５３，５７７号、米国特許第６，０２０，３０３号及び米国特許第６，０９３，８５６号において議論されるようなＣ１４〜Ｃ２２中鎖分枝状アルキルアルコキシラート類、ＢＡＥｘ（ここで、ｘは１〜３０である）；ｆ）１９８６年１月２６日発行のＬｌｅｎａｄｏによる米国特許第４，５６５，６４７号で議論されるようなアルキル多糖類；特に、米国特許第４，４８３，７８０号及び米国特許第４，４８３，７７９号で議論されるようなアルキルポリグリコシド；ｇ）米国特許第５，３３２，５２８号、国際公開第９２／０６１６２号、第９３／１９１４６号、第９３／１９０３８号、及び第９４／０９０９９号で議論されるようなポリヒドロキシ脂肪酸アミド；並びにｈ）米国特許第６，４８２，９９４号及び国際公開第０１／４２４０８号で議論されるようなエーテル末端保護ポリ（オキシアルキル化）アルコール界面活性剤が挙げられる。
【００６７】
カチオン性ポリマー
カチオン性ポリマーは、ヒドロキシエチルセルロースポリマーである。好ましくは、ヒドロキシエチルセルロースポリマーは、トリメチルアンモニウム置換エポキシドにより誘導体化されている。ポリマーは、１００，０００〜８００，０００ダルトンの分子量を有してもよい。
【００６８】
本明細書での使用に好適なカチオン性セルロースポリマーは、疎水的に改質されたもの又はそうではないものを含んでもよく、これらには、疎水性置換基を含み、１００，０００〜８００，０００の分子量を有するものを含む。これらのカチオン性ポリマーは、以下の一般構造式Ｉに従う、置換型の無水グルコース繰り返し単位を有する。
【００６９】
【化１】
2017524048.tif 000002
［式中、
ａ．ｍは、２０〜１０，０００の整数であり、
ｂ．各Ｒ４はＨであり、Ｒ１、Ｒ２、Ｒ３はそれぞれ、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、又はＣ６〜Ｃ３２置換アルキルアリール、
【００７０】
【化２】
2017524048.tif 000003
からなる群から独立して選択される。好ましくは、Ｒ１、Ｒ２、Ｒ３はそれぞれ、Ｈ、Ｃ１〜Ｃ４アルキル、
【００７１】
【化３】
2017524048.tif 000004
及びこれらの混合物からなる群から独立して選択される。
【００７２】
［式中、
ｎは、０又は１０から選択される整数であり、
Ｒｘは、Ｒ５、
【００７３】
【化４】
2017524048.tif 000005
からなる群から選択され、
前記多糖は、少なくとも１つのＲｘを含み、前記Ｒｘは
【００７４】
【化５】
2017524048.tif 000006
からなる群から選択される構造を有し、
ここでＡ−は好適なアニオンである。好ましくは、Ａ−はＣｌ−、Ｂｒ−、Ｉ−、メチルスルフェート、硫酸エチル、トルエンスルホネート、カルボキシラート、及びホスフェートからなる群から選択され、
Ｚは、カルボキシラート、ホスフェート、ホスホネート、及び硫酸塩からなる群から選択される。
ｑは、１〜４から選択される整数であり、
各Ｒ５は、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、Ｃ６〜Ｃ３２置換アルキルアリール、ＯＨからなる群から独立して選択される。好ましくは、各Ｒ５は、Ｈ、Ｃ１〜Ｃ３２アルキル、及びＣ１〜Ｃ３２置換アルキルからなる群から選択される。より好ましくは、Ｒ５は、Ｈ、メチル、エチルからなる群から選択される。
各Ｒ６は、Ｈ、Ｃ１〜Ｃ３２アルキル、Ｃ１〜Ｃ３２置換アルキル、Ｃ５〜Ｃ３２又はＣ６〜Ｃ３２アリール、Ｃ５〜Ｃ３２又はＣ６〜Ｃ３２置換アリール、Ｃ６〜Ｃ３２アルキルアリール、及びＣ６〜Ｃ３２置換アルキルアリールからなる群から独立して選択される。好ましくは、各Ｒ６は、Ｈ、Ｃ１〜Ｃ３２アルキル、及びＣ１〜Ｃ３２置換アルキルからなる群から選択される。
各Ｔは、Ｈ、
【００７５】
【化６】
2017524048.tif 000007
から独立して選択され、
式中、当該多糖類中の各ｖは、１〜１０の整数である。好ましくは、ｖは１〜５の整数である。当該多糖類中の各Ｒｘの全てのｖ指数の合計は、１〜３０、より好ましくは１〜２０、更に好ましくは１〜１０の整数である。鎖中、最後の
【００７６】
【化７】
2017524048.tif 000008
において、Ｔは常にＨである。
【００７７】
ポリマーの無水グルコース環上のアルキル置換の範囲は、高分子系物質のグルコース単位１個当り約０．０１％〜５％、より好ましくはグルコース単位１個当り約０．０５％〜２％であってもよい。
【００７８】
カチオン性セルロースは、グリオキサル等のジアルデヒドで軽度に架橋されて、周囲温度で水に添加された際に、こぶ、小塊、又はその他の凝集が形成されることを防止してもよい。
【００７９】
構造式Ｉのカチオン性セルロースポリマーには、同様に、市販のものが包含され、市販物質を従来の化学修飾によって調製できる物質が更に包含される。構造式Ｉの市販されているセルロースポリマーには、Ｕｃａｒｅ  Ｐｏｌｙｍｅｒ  ＪＲ  ３０Ｍ、ＪＲ  ４００、ＪＲ  １２５、ＬＲ  ４００、及びＬＫ  ４００ポリマーの商品名で販売されているもの等のＩＮＣＩ名ポリクオタニウム１０、Ｓｏｆｔｃａｒ  ＳＫ（商標）、の商品名で販売されているもの等のポリクオタニウム６７（以上、Ａｍｅｒｃｈｏｌ  Ｃｏｒｐｏｒａｔｉｏｎ（Ｅｄｇｅｗａｔｅｒ  ＮＪ）から市販されている）、Ｃｅｌｑｕａｔ  Ｈ２００及びＣｅｌｑｕａｔ  Ｌ−２００の商品名で販売されているもの等のポリクオタニウム４（以上、Ｎａｔｉｏｎａｌ  Ｓｔａｒｃｈ  ａｎｄ  Ｃｈｅｃｍｉｃａｌ  Ｃｏｍｐａｎｙ（Ｂｒｉｄｇｅｗａｔｅｒ  ＮＪ）から市販されている）が挙げられる。他の好適な多糖としては、グリシジルＣ１２〜Ｃ２２アルキルジメチルアンモニウムクロリドで四級化されたヒドロキシエチルセルロース又はヒドロキシプロピルセルロースが挙げられる。このような多糖の例としては、商品名Ｑｕａｔｅｒｎｉｕｍ  ＬＭ  ２００でＡｍｅｒｃｈｏｌ  Ｃｏｒｐｏｒａｔｉｏｎ（Ｅｄｇｅｗａｔｅｒ  ＮＪ）から市販されている、ＩＮＣＩ名ポリクオタニウム２４のポリマーが挙げられる。カチオン性デンプンは、Ｄ．Ｂ．Ｓｏｌａｒｅｋ  ｉｎ  Ｍｏｄｉｆｉｅｄ  Ｓｔａｒｃｈｅｓ，Ｐｒｏｐｅｒｔｉｅｓ  ａｎｄ  Ｕｓｅｓ（ＣＲＣ  Ｐｒｅｓｓにより出版（１９８６））及びＵ．Ｓ．Ｐａｔ．Ｎｏ．７，１３５，４５１，ｃｏｌ．２，ｌｉｎｅ  ３３−ｃｏｌ．４，ｌｉｎｅ  ６７に記載されている。
【００８０】
ヒドロキシエチルセルロースポリマーは、粒子として組成物に添加されてもよい。これは、粒子の組成物中に存在してもよいし、液体として、又はこれらの混合物として存在してもよい。
【００８１】
カチオン性ポリマーは、組成物の０．１重量％〜１重量％又は０．２重量％〜０．６重量％の割合で存在してもよい。好ましくは、カチオン性ポリマーは、組成物の０．１重量％〜１重量％又は０．２重量％〜０．６重量％の割合で存在してもよい。
【００８２】
補助剤成分
補助洗濯洗剤成分は、漂白剤、漂白触媒、染料、ぼかし剤、洗浄ポリマー、アルコキシ化ポリアミン、ポリエチレンイミン、アルコキシ化ポリエチレンイミン、汚れ放出ポリマー、両親媒性グラフトポリマー、界面活性剤、溶媒、移染阻害剤、キレート剤、酵素、香料、封入香料、香料提供剤、泡抑制剤、光沢剤、ポリカルボン塩酸、構造剤、酸化防止剤、定着補助剤、シリコーン、クレイ、ショ糖エステル、及びこれらの混合物から選択されてもよい。
【００８３】
単位用量物品は、補助剤成分を含んでもよい。当該補助洗濯洗剤成分は、漂白剤、漂白触媒、染料、ぼかし剤、洗浄ポリマー、アルコキシ化ポリアミン、ポリエチレンイミン、アルコキシ化ポリエチレンイミン、汚れ放出ポリマー、両親媒性グラフトポリマー、界面活性剤、溶媒、移染阻害剤、キレート剤、酵素、香料、封入香料、香料提供剤、泡抑制剤、光沢剤、ポリカルボン塩酸、構造剤、酸化防止剤、定着補助剤、及びこれらの混合物から選択されてもよい。
【００８４】
ぼかし染料：液体洗濯洗剤組成物は、ぼかし染料を含んでもよい。本洗濯ケア組成物に用いられるぼかし染料は、ポリマー性又は非ポリマー性染料、色素、又はこれらの混合物を含んでもよい。好ましくは、ぼかし染料はポリマー性染料を含み、発色団成分及びポリマー性成分を含む。発色団成分は、光に曝露すると、青、赤、スミレ色、紫、又はこれらの組み合わせの範囲の波長の光を吸収するものであると特徴付けられる。一態様では、発色団成分は、水及び／又はメタノール中で最大約５２０ナノメートル〜約６４０ナノメートルの吸収スペクトルを示し、他の態様では、水及び／又はメタノール中で約５６０ナノメートル〜約６１０ナノメートルの吸収スペクトルを示す。
【００８５】
あらゆる好適な発色団を使用し得るが、染料発色団は、好ましくは、ベンゾジフラン、メチン、トリフェニルメタン、ナフタルイミド、ピラゾール、ナフトキノン、アントラキノン、アゾ、オキサジン、アジン、キサンテン、トリフェノジオキサジン、及びフタロシアニン染料発色団から選択される。モノ及びジアゾ染料発色団が好適である。
【００８６】
ぼかし染料は、少なくとも３つの連続繰り返し単位の１つ以上に共有結合している発色団を有する染料ポリマーを含んでもよい。この繰り返し単位自体は発色団を有する必要がないことは理解されよう。染料ポリマーは、少なくとも５、又は少なくとも１０、更には少なくとも２０の連続繰り返し単位を含んでもよい。
【００８７】
繰り返し単位は、オキシアルキレンオキシ及びポリオキシアルキレンオキシと組み合わせたフェニルジカルボン酸塩等の有機エステルから得られる。繰り返し単位は、アルケン、エポキシド、アジリジン、炭水化物から得られる。これらは、ヒドロキシアルキルセルロース、ヒドロキシプロピルセルロース、ヒドロキシプロピルメチルセルロース、ヒドロキシブチルセルロース、及びヒドロキシブチルメチルセルロース、又はこれらの混合物等の変性セルロースを含む単位を有する。繰り返し単位は、アルケン、エポキシド、又はこれらの混合物から得てもよい。繰り返し単位は、アルコキシ基とも呼ばれる場合のあるＣ２〜Ｃ４アルキレンオキシ基、好ましくはＣ２〜Ｃ４アルキレンオキシドから得てもよい。繰り返し単位は、Ｃ２〜Ｃ４アルコキシ基、好ましくはエトキシ基から得てもよい。
【００８８】
本発明の目的のために、前記少なくとも３つの連続繰り返し単位は重合成分を形成する。当該重合成分は、直接又は連結基を介して間接に発色団基と共有結合してもよい。好適なポリマー性成分の例は、複数の繰り返し単位を有するポリオキシアルキレン鎖を含む。一態様では、ポリマー性成分は、２個〜約３０個の繰り返し単位、２個〜約２０個の繰り返し単位、２個〜約１０個の繰り返し単位、更には約３又は４〜約６個の繰り返し単位を有するポリオキシアルキレン鎖を含む。ポリオキシアルキレン鎖の非限定例には、エチレンオキシド、プロピレンオキシド、グリシドールオキシド、ブチレンオキシド、及びこれらの混合物が挙げられる。
【００８９】
キレート剤：また、本明細書の組成物は、任意で、１つ又は２つ以上の銅、鉄、及び／又はマンガンキレート剤を含有してよい。使用される場合、キレート剤は、一般に本明細書の組成物の重量で約０．１％〜約１５％、又は本明細書の組成物の重量で約３．０％〜約１５％含まれるであろう。好適なキレート剤は、ジエチレントリアミン五酢酸、ジエチレントリアミンペンタ（メチルホスホン酸）、エチレンジアミン−Ｎ’Ｎ’−二コハク酸、エチレンジアミン四酢酸、エチレンジアミンテトラ（メチレンホスホン酸）、ヒドロキシエタンジ（メチレンホスホン酸）、及びこれらの任意の組み合わせから選択される。好適なキレート剤は、エチレンジアミン−Ｎ’Ｎ’−二コハク酸（ＥＤＤＳ）及び／又はヒドロキシエタンジホスホン酸（ＨＥＤＰ）である。洗濯洗剤組成物は、エチレンジアミン−Ｎ’Ｎ’−二コハク酸、又はその塩を含み得る。エチレンジアミン−Ｎ’Ｎ’−二コハク酸は、Ｓ，Ｓエナンチオマー形態であってよい。組成物は４，５−ジヒドロキシ−ｍ−ベンゼンジスルホン酸二ナトリウム塩、グルタミン酸−Ｎ，Ｎ−二酢酸（ＧＬＤＡ）及び／又はそれらの塩、２−ヒドロキシピリジン−１−オキシド、Ｔｒｉｌｏｎ  Ｐ（商標）（ＢＡＳＦ（Ｌｕｄｗｉｇｓｈａｆｅｎ，Ｇｅｒｍａｎｙ）から入手可能）を含み得る。炭酸カルシウム結晶成長阻害剤も好適なキレート剤である。好適な炭酸カルシウム結晶成長阻害剤は、１−ヒドロキシエタンジホスホン酸（ＨＥＤＰ）及びその塩、Ｎ，Ｎ−ジカルボキシメチル−２−アミノペンタンー１，５−二酸及びその塩、２−ホスホノブタンー１，２，４−トリカルボン酸及びその塩、及びこれらの任意の組み合わせからなる群から選択されてもよい。
【００９０】
組成物は、炭酸カルシウム結晶成長阻害剤を含み、これは、１−ヒドロキシエタンジホスホン酸（ＨＥＤＰ）及びその塩、Ｎ，Ｎ−ジカルボキシメチル−２−アミノペンタンー１，５−二酸及びその塩、２−ホスホノブタンー１，２，４−トリカルボン酸及びその塩、及びこれらの任意の組み合わせからなる群から選択されてもよい。
【００９１】
ポリマー：好適なポリマーとしては、カルボキシレートポリマー、ポリエチレングリコールポリマー、テレフタレートポリマー等のポリエステル汚れ放出ポリマー、アミンポリマー、セルロース系ポリマー、移染阻害ポリマー、所望により１：４：１の比率のイミダゾールとエピクロロヒドリンとの縮合によって生成される縮合オリゴマー等の染料固定ポリマー、ヘキサメチレンジアミン誘導体ポリマー、及びこれらの任意の組み合わせが挙げられる。
【００９２】
酵素：組成物は、洗浄性能及び／又は布地ケア効果を提供する１つ又は２つ以上の洗浄性酵素を含んでよい。好適な酵素の例としては、限定するものではないが、ヘミセルラーゼ、ペルオキシダーゼ、プロテアーゼ、セルラーゼ、キシラナーゼ、リパーゼ、ホスホリパーゼ、エステラーゼ、クチナーゼ、ペクチナーゼ、ケラタナーゼ、レダクターゼ、オキシダーゼ、フェノールオキシダーゼ、リポキシゲナーゼ、リグニナーゼ、プルラナーゼ、タンナーゼ、ペントサナーゼ、マラナーゼ、βグルカナーゼ、アラビノシダーゼ、ヒアルロニダーゼ、コンドロイチナーゼ、ラッカーゼ、及びアミラーゼ、又はこれらの混合物が挙げられる。典型的な組み合わせは、プロテアーゼ、リパーゼ、クチナーゼ及び／又はセルラーゼのような従来の適用可能な酵素をアミラーゼと組み合わせた混液である。
【００９３】
溶媒：本組成物は、溶媒を含み得る。当該溶媒は、好ましくは１５００未満、より好ましくは１０００未満、更に好ましくは７００未満、更に好ましくは５００未満の分子量を有する。好ましくは、当該溶媒は、１０より大きい分子量を有する。
【００９４】
当該溶媒は、アルコール、ジオール、モノアミン誘導体、グリコール、ポリアルキレングリコール、例えばポリエチレングリコール、プロパンジオール、モノエタノールアミン、又はその混合物から選択してもよい。
【００９５】
当該溶媒は、３００〜６００の分子量を有するポリエチレングリコール（ＰＥＧ）、ジプロピレングリコール（ＤＰＧ）、ｎブトキシプロポキシプロパノール（ｎＢＰＰ）、及びそれらの混合物を有する群から選択される。より好ましくは、当該溶媒は、４００〜６００の分子量を有するポリエチレングリコール（ＰＥＧ）、ジプロピレングリコール（ＤＰＧ）、ｎブトキシプロポキシプロパノール（ｎＢＰＰ）、ポリプロピレングリコール（ＰＰＧ）、及びそれらの混合物を有する群から選択される。
【００９６】
構造剤：本組成物は、構造剤を含み得る。あらゆる好適な構造剤を使用し得るが、市販のＴｈｉｘｃｉｎ等の水素化ヒマシ油構造剤が好ましい。当該構造剤は、非ポリマー性又はポリマー性構造剤から選択されてもよい。当該構造剤は、非ポリマー性構造剤、好ましくは結晶化可能グリセリドであってもよい。当該構造剤は、ポリマー性構造剤、好ましく繊維系ポリマー性構造剤、より好ましくセルロース系繊維系構造剤であってもよい。
【００９７】
その他のポリマー製構造剤は、疎水的に改質されたエトキシ化ウレタン（ＨＥＵＲ）、疎水的に改質されたアルカリ膨潤性乳剤（ＨＡＳＥ）、及びこれらの混合物からなる群から選択される。
【００９８】
泡抑制剤：組成物は、泡抑制剤、好ましくはシロキサン系ポリマー泡抑制剤（本明細書では単に「泡抑制剤」とも呼ぶ）を含んでもよい。当該泡抑制剤は、オルガノ修飾シロキサンポリマーであってもよい。オルガノ修飾シロキサンポリマーは、任意にシリコーン樹脂及び／又は変性シリカと結合してもよいアリール又はアルキルアリール置換基を含んでもよい。一実施形態では、泡抑制剤は、シリコーン樹脂、及び任意要素として一次充填剤と結合したアリール又はアルキルアリール置換基を有するオルガノ修飾シリコーンポリマーから選択される。米国特許第６，５２１，５８６  Ｂ１号、同第６，５２１，５８７  Ｂ１号、米国特許出願第２００５  ０２３９９０８  Ａ１号、同第２００７  ０１６７３  Ａ１号（Ｄｏｗ  Ｃｏｒｎｉｎｇ  Ｃｏｒｐ．）、及び米国特許出願第２００８  ００２１１５２  Ａ１号（Ｗａｃｋｅｒ  Ｃｈｅｍｉｅ  ＡＧ）に記載されるような、シリコーン樹脂及び修飾シリカと結合したアリール又はアルキルアリール（alkyaryl）置換基を有するオルガノ修飾シリコーンポリマーからなるシリコーン泡抑制剤が特に好ましい。
【００９９】
酸化防止剤：液体洗濯洗剤組成物は、酸化防止剤を含んでもよい。酸化防止剤は、好ましくは、ブチル化ヒドロキシトルエン、（ＢＨＴ）、ブチル化ヒドロキシアニソール（ＢＨＡ）、トリメトキシ安息香酸（ＴＭＢＡ）、α，β，λ及びδトコフェノール（ビタミンＥ酢酸塩）、６ヒドロキシ−２，５，７，８−テトラ−メチルクロマン−２−カルボン酸（トロロクス）、１，２，ベンズイソチアゾリン−３−オン（ｐｒｏｘｅｌ  ＧＬＸ）、タンニン酸、没食子酸、Ｔｉｎｏｇｕａｒｄ  ＡＯ−６、Ｔｉｎｏｇｕａｒｄ  ＴＳ、アスコルビン酸、アルキル化フェノール、エトキシキノン２，２，４トリメチル、１−２−ジヒドロキノリン、２，６ジ又はｔｅｒｔ又はブチルヒドロキノン、ｔｅｒｔ、ブチル、ヒドロキシルアニソール、リグノスルホン酸及びその塩類、ベンゾフラン、ベンゾピラン、トコフェノールソルベート、ブチル化ヒドロキシル安息香酸及びその塩類、没食子酸及びそのアルキルエステル、尿酸並びにその塩類及びアルキルエステル、ソルビン酸及びその塩類、ジヒドロキシフマル酸及びその塩類、並びにこれらの混合物からなる群から選択される。好ましい酸化防止剤は、アルカリ及びアルカリ土類金属の亜硫酸塩及び硫化水素酸塩、より好ましくは亜硫酸ナトリウム又は硫化水素酸ナトリウムからなる群から選択されるものである。
【０１００】
水：液体洗濯洗剤組成物は、０．５〜２５重量％の水、又は更には１〜１５重量％の水を含んでもよい。
【０１０１】
当該液体洗濯洗剤組成物は、組成物の重量で２％〜２０％、又は更には３％〜１５％の水を含んでもよい。
【０１０２】
作製プロセス
任意の好適なプロセスを、本発明の組成物を製造するために用いることができる。当業者は、当該技術において公知の好適なプロセスを知っているであろう。
【０１０３】
使用方法
本発明の組成物又は単位用量物品は、洗濯物が既に投入されている又はこれから投入される洗浄溶液に添加することができる。これは、自動洗濯機の作動時に使用し、ドラム又は洗剤入れに直接添加してもよい。柔軟剤又は染み抜き剤等の他の選択洗剤組成物と組み合わせて使用してもよい。洗浄溶液に添加する前に、染みに対して前処理組成物として使用してもよい。
【実施例】
【０１０４】
（実施例１）
以下に異なる界面活性剤比率を有する液体洗剤組成物とについて説明する。例Ａは本発明の例であり、例Ｂ、Ｃ、及びＤは本発明の範囲にない例である。
【０１０５】
【表１】
2017524048.tif 000009
＊プロパンジオール、グリセロール、エタノール、ジプロピレングリコール、ポリエチレングリコール、ポリプロピレングリコールを含んでもよいが、これらに限定されない。
【０１０６】
調合物ＡからＤ２８ｇをＰＶＡフィルム（酵素から分離されたカチオン変性ヒドロキシエチルセルロース）に封入し、これをテリートレーサー及び３．０ｋｇの混成（綿、ポリコットン、）バラスト荷重と共に洗浄した（４０℃、２．５ｍｍｏｌ／Ｌ水硬度を用いたＭｉｅｌｅ  Ｗ１７１４ショートコットンサイクル）。サイクル間で、テリートレーサーを回転式乾燥機で乾燥した。第４サイクル後、テリー繊維に対して一定の温度（２１℃）、相対湿度（５０％）で乾燥工程を行った。翌日、テリートレーサーは、２３℃／５５％ＲＨで４時間平衡化し、その間条件は一定に保たれた。動摩擦係数はＴｈｗｉｎｇ  Ａｌｂｅｒｔ摩擦剥離テスタＦＰ−２２５０で測定された。２ｋｇのロードセルで、２００ｇのスレッドを引っ張った。ロードセルとスレッドの間の距離は、永久糸にて１０センチ（４インチ）に固定された。
【０１０７】
資料サンプルを横糸が垂直、縦糸が水平となるようサンプルプレート上に置いた。ループのグレインは左を向くものとなる。テリーのドラッグ領域は１１ｃｍ×６．４ｃｍ（４．５ｉｎ×２．５ｉｎ）であった。１１．４ｃｍ×６．４ｃｍ（４．５ｉｎ×２．５ｉｎ）に切断したスレッドサンプル（同一のテストサンプルから切り出された）を下向きにクランピングスレッドに取り付ける（サンプルプレート上の布地面全体にスレッド上の布地面が引っ張り広げられる）。スレッド上の布地のループ／グレインは、スレッドを引っ張るとループ／スレインに対して布地が引っ張られるよう配向された。
【０１０８】
Ｔｈｗｉｎｇ  Ａｌｂｅｒｔを、５．０秒の静的測定、１０秒の反応速度測定をという手順となるよう設定した。試験速度は毎秒２０ｃｍとした。クロスヘッド高さは２５ｍｍであった。
【０１０９】
スレッドを見本上に載置し、糸をスレッドフックに固定して、ロードセルに取り付けた。ロードセルの力（〜０．００９８−０．０２０Ｎ）（１．０〜２．０ｇｆ）が記録されるまで、クロスへッドを右に移動させる。次いでこれを、ロードセ読み取り値が０．０Ｎ（０．０ｇｆ）になるまでクロスヘッドを戻す。
【０１１０】
測定が開始され、１０往復分の動摩擦係数が記録された。以下の表から平均値が読み取れる。
【０１１１】
【表２】
2017524048.tif 000010
【０１１２】
各組にスチューデントのｔ検定をおこない、統計ソフトウェアパッケージ（ＪＭＰ）から以下のとおりのｐ値と有意差が抽出された。
【０１１３】
【表３】
2017524048.tif 000011
【０１１４】
この結果から、本発明の範囲外の構成物により洗った場合に比較して、本発明の構成物で洗った方が布地がより柔らかくなることがわかる。柔らかい感触の差は、統計的に示された。
【０１１５】
本明細書で開示する寸法及び値は、列挙された正確な数値に厳密に限られるとして理解されるべきではない。それよりむしろ、特に指示がない限り、このような寸法はそれぞれ、列挙された値とその値を囲む機能的に同等な範囲との両方を意味することを意図する。例えば、「４０ｍｍ」として開示される寸法は、「約４０ｍｍ」を意味することを意図する。
【国際調査報告】
2017524048.tif 000012
2017524048.tif 000013
2017524048.tif 000014